(57)【要約】【課題】  画像表示面に表示される画像情報を、全系の小型化及び軽量化を図りつつ、広視野角でありながら高い光学性能で観察することができる観察光学系及びそれを有する観察装置を得ること。【解決手段】  画像表示面に表示された画像を観察面より観察するための観察光学系であって、前記観察光学系は正レンズと２つの負レンズを含み、前記２つの負レンズのうち少なくとも１つの負レンズはフレネル形状のレンズ面を有することを特徴としている。【選択図】  図１
2020027113.tif 000002
【特許請求の範囲】
【請求項１】
画像表示面に表示された画像を観察面より観察するための観察光学系であって、前記観察光学系は正レンズと２つの負レンズを含み、前記２つの負レンズのうち少なくとも１つの負レンズはフレネル形状のレンズ面を有することを特徴とする観察光学系。
【請求項２】
前記観察光学系に含まれるレンズのうち、画像表示面から観察面側へ順に第１番目の第１負レンズの焦点距離をｆｎ１、画像表示面から観察面側へ順に第２番目の第２負レンズの焦点距離をｆｎ２、前記観察光学系の焦点距離をｆとするとき、
−１２１．６８＜ｆｎ２／ｆ＜−１．５３
１．２４＜ｆｎ２／ｆｎ１＜２８２．７８
なる条件式を満足することを特徴とする請求項１に記載の観察光学系。
【請求項３】
前記観察光学系に含まれるレンズのうち、画像表示面から観察面側へ順に第１番目の第１正レンズの焦点距離をｆｐ１、前記観察光学系の焦点距離をｆとするとき、
０．２５＜ｆｐ１／ｆ＜１．７１
なる条件式を満足することを特徴とする請求項１又は２に記載の観察光学系。
【請求項４】
前記フレネル形状のレンズ面の中心輪帯の面頂点から該中心輪帯の端部までの光軸方向の長さをｈ、ｄ線の波長をλｄとするとき
１１．６７＜ｈ／λｄ＜６８０．７８      
なる条件式を満足することを特徴とする請求項１乃至３のいずれか１項に記載の観察光学系。
【請求項５】
前記フレネル形状のレンズ面を有する負レンズの光軸上の厚みをＬｆ、前記観察光学系の画像表示面側のレンズ面から観察面側のレンズ面までの光軸上の長さをＴｆｄとするとき、
０．０１＜Ｌｆ／Ｔｆｄ＜０．１８ 
なる条件式を満足することを特徴とする請求項１乃至４のいずれか１項に記載の観察光学系。
【請求項６】
前記観察光学系は２つの正レンズを有し、画像表示面側から観察面側へ順に第２番目の第２正レンズの焦点距離をｆｐ２、前記観察光学系の焦点距離をｆとするとき、
０．４２＜ｆｐ２／ｆ＜４．１６   
なる条件式を満足することを特徴とする請求項１乃至５のいずれか１項に記載の観察光学系。
【請求項７】
前記観察光学系に含まれるレンズのうち、画像表示面から観察面側へ順に第１番目の第１負レンズの焦点距離をｆｎ１、前記観察光学系の焦点距離をｆとするとき、
−２．６５＜ｆｎ１／ｆ＜−０．２０
なる条件式を満足することを特徴とする請求項１乃至６のいずれか１項に記載の観察光学系。
【請求項８】
前記観察光学系は３つの正レンズを有し、画像表示面側から観察面側へ順に第３番目の第３正レンズの焦点距離をｆｐ３、前記観察光学系の焦点距離をｆとするとき、
０．４０＜ｆｐ３／ｆ＜３．９１
なる条件式を満足することを特徴とする請求項１乃至７のいずれか１項に記載の観察光学系。
【請求項９】
画像情報を表示する画像表示素子と、前記画像表示素子に表示される前記画像情報を観察するための請求項１乃至８のいずれか１項に記載の観察光学系を有することを特徴とする観察装置。
【請求項１０】
前記画像表示素子の画像表示面の対角線長の半分をＹ、前記観察光学系の焦点距離をｆとするとき、
０．１３＜Ｙ／ｆ＜０．８０
なる条件式を満足することを特徴とする請求項９に記載の観察装置。
【発明の詳細な説明】
【技術分野】
【０００１】
本発明は、観察光学系に関し、特に電子ビューファインダー等の観察装置に好適な観察光学系に関するものである。
【背景技術】
【０００２】
従来、液晶パネルなど画像表示素子に表示された画像を観察するため、複数枚のレンズを用いた観察光学系が提案されている。これら観察光学系は視認性を高めるため、十分に広い視野（高倍率）とアイレリーフが十分確保され、諸収差が良好に補正されていること等が求められている。
【０００３】
さらに、観察光学系を有するカメラなどの撮像装置の小型化の流れから、対角長が２０ｍｍ以下の比較的小型な画像表示素子を用いてこれらの要求を満たすことが望まれている。
【０００４】
高倍率の観察光学系としては、画像表示素子側よりアイポイント側に向かって、少なくとも正レンズおよび負レンズを含む複数のレンズで構成された観察光学系が知られている（特許文献１）。
【０００５】
また、観察光学系を構成する光学部材の表面でのフレネル反射を低減し、透過率を向上させ、また、複数の光学面間で発生する面反射ゴーストを防止することができるようにした観察光学系が知られている（特許文献２）。
【先行技術文献】
【特許文献】
【０００６】
【特許文献１】特開２０１６−２２４２３９号公報
【特許文献２】特開２００３−３２２７１１号公報
【発明の概要】
【発明が解決しようとする課題】
【０００７】
広視野角でありながら、高い光学性能を有し、且つ全体が軽量な観察光学系を得るには、レンズ構成、特にフレネルレンズを用いるときにはフレネルレンズの形状やレンズ構成等を適切に設定する必要がある。
【０００８】
例えば、特許文献２では面反射ゴーストを低減するために光学部材の表面にフレネル面を形成したレンズを使用している。しかしながら、電子ビューファインダー等の仕様のためには高視野角化と電子ビューファインダーをのぞいてみたときのフレネル面の品位が必ずしも十分ではなかった。
【０００９】
本発明は、画像表示面に表示される画像情報を、全系の小型化及び軽量化を図りつつ、広視野角でありながら高い光学性能で観察することができる観察光学系及びそれを有する観察装置の提供を目的とする。
【課題を解決するための手段】
【００１０】
画像表示面に表示された画像を観察面より観察するための観察光学系であって、前記観察光学系は正レンズと２つの負レンズを含み、前記２つの負レンズのうち少なくとも１つの負レンズはフレネル形状のレンズ面を有することを特徴としている。
【発明の効果】
【００１１】
本発明によれば、画像表示面に表示される画像情報を、全系の小型化及び軽量化を図りつつ、広視野角でありながら高い光学性能で観察することができる観察光学系及びそれを有する観察装置が得られる。
【図面の簡単な説明】
【００１２】
【図１】実施例１の観察光学系を有する観察装置の要部断面図である。
【図２】実施例１に係る観察光学系の各収差図である。
【図３】実施例２の観察光学系を有する観察装置の要部断面図である。
【図４】実施例２に係る観察光学系の各収差である。
【図５】実施例３の観察光学系を有する観察装置の要部断面図である。
【図６】実施例３に係る観察光学系の各収差である。
【図７】実施例４の観察光学系を有する観察装置の要部断面図である。
【図８】実施例４に係る観察光学系の各収差である。
【図９】実施例５の観察光学系を有する観察装置の要部断面図である。
【図１０】実施例５に係る観察光学系の各収差である。
【図１１】実施例６の観察光学系を有する観察装置の要部断面図である。
【図１２】実施例６に係る観察光学系の各収差である。
【図１３】実施例７の観察光学系を有する観察装置の要部断面図である。
【図１４】実施例７に係る観察光学系の各収差である。
【図１５】実施例８の観察光学系を有する観察装置の要部断面図である。
【図１６】実施例８に係る観察光学系の各収差である。
【図１７】実施例９の観察光学系を有する観察装置の要部断面図である。
【図１８】実施例９に係る観察光学系の各収差である。
【図１９】実施例１０の観察光学系を有する観察装置の要部断面図である。
【図２０】実施例１０に係る観察光学系の各収差である。
【図２１】実施例１１の観察光学系を有する観察装置の要部断面図である。
【図２２】実施例１１に係る観察光学系の各収差である。
【図２３】実施例１２の観察光学系を有する観察装置の要部断面図である。
【図２４】実施例１２に係る観察光学系の各収差である。
【図２５】本発明に係わるフレネル形状のレンズ面の説明図である。
【発明を実施するための形態】
【００１３】
以下に、本発明の好ましい実施例を添付の図面に基づいて詳細に説明する。各実施例の観察光学系は、画像表示面に表示された画像を観察面より観察するためのものである。観察光学系は正レンズと２つの負レンズを含み、２つの負レンズのうち少なくとも１つの負レンズはフレネル形状のレンズ面を有する。
【００１４】
図１は本発明の実施例１の観察光学系を有する観察装置の要部断面図である。図２は本発明の実施例１の観察光学系のファインダー視度が−１ディオプター（標準視度）のときの縦収差図である。図３は本発明の実施例２の観察光学系を有する観察装置の要部断面図である。図４は本発明の実施例２の観察光学系のファインダー視度が−１ディオプターのときの縦収差図である。
【００１５】
図５は本発明の実施例３の観察光学系を有する観察装置の要部断面図である。図６は本発明の実施例３の観察光学系のファインダー視度が−１ディオプターのときの縦収差図である。図７は本発明の実施例４の観察光学系を有する観察装置の要部断面図である。図８は本発明の実施例４の観察光学系のファインダー視度が−１ディオプターのときの縦収差図である。図９は本発明の実施例５の観察光学系を有する観察装置の要部断面図である。図１０は本発明の実施例５の観察光学系のファインダー視度が−１ディオプターのときの縦収差図である。
【００１６】
図１１は本発明の実施例６の観察光学系を有する観察装置の要部断面図である。図１２は本発明の実施例６の観察光学系のファインダー視度が−１ディオプターのときの縦収差図である。図１３は本発明の実施例７の観察光学系を有する観察装置の要部断面図である。図１４は本発明の実施例７の観察光学系のファインダー視度が−１ディオプターのときの縦収差図である。
【００１７】
図１５は本発明の実施例８の観察光学系を有する観察装置の要部断面図である。図１６は本発明の実施例８の観察光学系のファインダー視度が−１ディオプターのときの縦収差図である。図１７は本発明の実施例９の観察光学系を有する観察装置の要部断面図である。図１８は本発明の実施例９の観察光学系のファインダー視度が−１ディオプターのときの縦収差図である。図１９は本発明の実施例１０の観察光学系を有する観察装置の要部断面図である。図２０は本発明の実施例１０の観察光学系のファインダー視度が−１ディオプターのときの縦収差図である。
【００１８】
図２１は本発明の実施例１１の観察光学系を有する観察装置の要部断面図である。図２２は本発明の実施例１１の観察光学系のファインダー視度が−１ディオプターのときの縦収差図である。図２３は本発明の実施例１２の観察光学系を有する観察装置の要部断面図である。図２４は本発明の実施例１２の観察光学系のファインダー視度が−１ディオプターのときの縦収差図である。図２５は本発明に係るフレネル形状のレンズ面の詳細図である。
【００１９】
各実施例の観察光学系は、デジタルカメラやビデオカメラ等の撮像装置の電子ビューファインダー（観察装置）に用いられる。レンズ断面図において左方は画像表示面側、右方は観察側（射出瞳側）である。レンズ断面図においてＬ０は観察光学系である。Ｌｉは第ｉレンズである。ＩＤは液晶又は有機ＥＬ等よりなる画像表示素子である。ＥＰは観察のための観察面（アイポイント）（射出瞳）である。アイポイントの位置は画像表示素子ＩＤの画像表示面の最周辺からの光線が観測者の瞳を通過する範囲内であれば光軸方向に移動しても良い。
【００２０】
レンズ最終面からアイポイントまでの距離がアイレリーフである。
【００２１】
各収差図のうち球面収差図において、実線のｄはｄ線（波長５８７．６ｎｍ）、点線のｃはｃ線（波長６５６．２７ｎｍ）を示す。非点収差図において△Ｓ（実線）はｄ線のサジタル像面、△Ｍ（破線）はｄ線のメリディオナル像面を示す。歪曲はｄ線について示している。倍率色収差はｃ線について示している。数値は後述する数値データをｍｍ単位で表したときの値である。
光路図と収差図においてはアイポイントＥＰの位置に焦点距離約３２ｍｍの理想レンズを配置して、結像させた状態で表しており表示している。波長はｄ線である。
【００２２】
画像表示面の対角長が約２０ｍｍ以下の小型の画像表示素子を広い視野（視野角約３０度以上）で観察するためには、観察光学系Ｌ０全体で強い正のパワーを持つ必要がある。そうすると各レンズに強い正の屈折力、負の屈折力が必要になり、その結果、像面湾曲、倍率色収差など諸収差の発生が多くなり、諸収差の補正が難しくなる。
そこで、各実施例では次のレンズ構成をとっている。観察光学系Ｌ０に含まれるレンズのうち、画像表示面から観察面側へ順に第１番目の第１負レンズの焦点距離をｆｎ１、画像表示面から観察面側へ順に第２番目の第２負レンズの焦点距離をｆｎ２、前記観察光学系の焦点距離をｆとする。
観察光学系Ｌ０に含まれるレンズのうち、画像表示面から観察面側へ順に第１番目の第１正レンズの焦点距離をｆｐ１とする。フレネル形状のレンズ面の中心輪帯の面頂点から該中心輪帯の端部までの光軸方向の長さをｈ、ｄ線の波長をλｄとする。
フレネル形状のレンズ面を有する負レンズの光軸上の厚みをＬｆ、観察光学系Ｌ０の画像素子面側のレンズ面から観察面側のレンズ面までの光軸上の長さをＴｆｄとする。観察光学系Ｌ０が２つの正レンズを有するときは、画像表示面側から観察面へ順に第２番目の第２正レンズの焦点距離をｆｐ２とする。観察光学系Ｌ０が３つに正レンズを有するときは、画像表示面から観察面側へ順に第３番目の第３正レンズの焦点距離をｆｐ３とする。
画像情報を表示する画像表示素子ＩＤと、画像表示素子ＩＤに表示される画像情報を観察するための観察光学系Ｌ０を有する観察装置において、画像表示素子の画像表示面の対角線長の半分をＹとする。
図２５において、Ｆｒｅはフレネル面であり、フレネル格子ＦＰが所定のピッチで配列されている。Ｆ０は中心輪帯であり、連続レンズ面よりなる。Ｌａは光軸である。ｈはフレネル面の中心輪帯の面頂点から中心輪帯の該部までの光軸方向の長さである。Φ０はフレネル面の中心輪帯Ｆｏの有効径である。Φ１はフレネル面の有効径である。
【００２３】
このとき、次の条件式のうち１つ以上を満足するのが良い
−１２１．６８＜ｆｎ２／ｆ＜−１．５３                ・・・（１）
１．２４＜ｆｎ２／ｆｎ１＜２８２．７８                ・・・（２）
０．２５＜ｆｐ１／ｆ＜１．７１                        ・・・（３）
１１．６７＜ｈ／λｄ＜６８０．７８                    ・・・（４）
０．０１＜Ｌｆ／Ｔｆｄ＜０．１８                      ・・・（５）
０．４２＜ｆｐ２／ｆ＜４．１６                        ・・・（６）
−２．６５＜ｆｎ１／ｆ＜−０．２０                    ・・・（７）
０．４０＜ｆｐ３／ｆ＜３．９１                        ・・・（８）
０．１３＜Ｙ／ｆ＜０．８０                            ・・・（９）
次に前述の条件式の技術的意味について説明する。
【００２４】
条件式（１）は第２負レンズの焦点距離と観察光学系Ｌ０の焦点距離の関係を規定し主に、ペッツバール和を軽減するためのものである。各実施例の観察光学系Ｌ０では正レンズによる正のペッツバール成分を負レンズの負のペッツバール成分で打ち消している。打ち消すためには、条件式（１）の絶対値を大きくする必要がある。各実施例において第２負レンズはフレネル構造を備えているため、条件式（１）の絶対値を小さくすることが必要となる。条件式（１）の絶対値を小さくしつつ、高精細な画像の観察を容易にしている。
【００２５】
条件式（１）の上限を超えると、ペッツバール和の補正は容易となるが、第２負レンズの負の屈折力が強くなる（負の屈折力の絶対値が大きくなり）。そうすると第２負レンズのレンズ面の曲率半径が小さくり、コマ収差等の諸収差の補正が困難となる。あるいは観察光学系Ｌ０の焦点距離が長くなるため、所望の視野角を得るのが困難となる。条件式（１）の下限を超えると、ペッツバール和の補正効果が弱くなりすぎる。このため、画像表示面からの射出光線の角度がきつくなり、画像の良好な観察が困難になる。
【００２６】
条件式（２）は第２負レンズの焦点距離と第１負レンズの焦点距離の関係を規定している。条件式（２）の下限を超えて値が小さくなると、ペッツバール和の補正は容易になるが、第２負レンズの負の屈折力が強くなる。そうすると第２負レンズのレンズ面の曲率半径が小さくなり、コマ収差等の諸収差の補正が困難となる。あるいは観察光学系Ｌ０の焦点距離が長くなるため、所望の視野角を得るのが困難になる。条件式（２）の上限を超えると、ペッツバール和の補正効果が弱くなりすぎる。このため、画像表示面からの射出光線の角度がきつくなり、画像の如何なる観察が困難になる。
【００２７】
条件式（３）は第１正レンズの焦点距離と観察光学系Ｌ０の焦点距離の関係を規定し、主にペッツバール和を軽減するためのものである。条件式（３）の下限を超えると、ペッツバール和の補正は容易になるが第１正レンズの屈折力が強くなる。そうすると第１正レンズのレンズ面の曲率半径が小さくなるため、コマ収差等の諸収差の補正が困難となる。あるいは観察光学系Ｌ０の焦点距離が長くなるため、所望の視野角を得るのが困難になる。
【００２８】
条件式（３）の上限を超えると、ペッツバール和の補正効果が弱くなりすぎる。このため、画像表示面からの射出光線の角度がきつくなり画像の良好なる観察が困難になる。
【００２９】
条件式（４）は負レンズに設けたフレネル面の第一輪帯の段差量とｄ線の波長の比を規定している。条件式（４）の下限を超えて、フレネル面の段差量が小さくなりすぎると、回折光の強度が増し、光学性能が低下する。条件式（４）の上限を超えて、段差量が大きくなりすぎると、壁面に入射する光の割合が増えるため、不要光が増し、光学性能が低下する。
【００３０】
条件式（５）はフレネル形状のレンズ面を有する負レンズの厚みと観察光学系Ｌ０の光軸上の長さの比を規定している。条件式（５）の下限を超えて観察光学系Ｌ０の長さが長くなりすぎると観察光学系Ｌ０全体が大型化するとともに重量が増加するので良くない。条件式（５）上限を超えてフレネル面を有するレンズが厚くなりすぎると観察光学系Ｌ０が大型化するので良くない。
【００３１】
条件式（６）は観察光学系Ｌ０が２つの正レンズを有するときの第２正レンズの焦点距離と観察光学系Ｌ０の焦点距離の関係を規定し、主にペッツバール和を軽減するためのものである。条件式（６）の下限を超えると、ペッツバール和の補正は容易になるが第２正レンズの屈折力が強くなり、第２正レンズのレンズ面の曲率半径が小さくなる。そうすると、コマ収差等の諸収差の補正が困難となる。あるいは観察光学系Ｌ０の焦点距離が長くなるため、所望の視野角を得るのが困難になる。
【００３２】
条件式（６）の上限を超えると、ペッツバール和の補正効果が弱くなりすぎるため、画像表示面からの射出光線の角度がきつくなり、画像の良好なる観察が困難になる。
【００３３】
条件式（７）は第１負レンズの焦点距離と観察光学系Ｌ０の焦点距離の関係を規定し、主にペッツバール和を軽減するためのものである。条件式（７）の下限を超えると、ペッツバール和の補正は容易になるが、第１負レンズの屈折力が強くなる。そうすると第１負レンズのレンズ面の曲率半径が小さくなり、コマ収差等の諸収差の補正が困難となる。あるいは観察光学系Ｌ０の焦点距離が長くなるため、所望の視野角を得るのが困難になる。条件式（７）の上限を超えると、ペッツバール和の補正効果が弱くなりすぎる。このため、画像表示面からの射出光線の角度がきつくなり、画像の良好なる観察が困難になる。
【００３４】
条件式（８）は観察光学系Ｌ０が３つの正レンズを有するときの第３正レンズの焦点距離と観察光学系Ｌ０の焦点距離の関係を規定し、主にペッツバール和を軽減するためのものである。条件式（８）の下限を超えると、ペッツバール和の補正は容易になるが、第３正レンズの屈折力が強くなる。そうすると、第３正レンズのレンズ面の曲率半径が小さくなり、コマ収差等の諸収差の補正が困難となる。あるいは観察光学系Ｌ０の焦点距離が長くなるため、所望の視野角を得るのが困難になる。
【００３５】
条件式（８）の上限を超えると、ペッツバール和の補正効果が弱くなりすぎる。このため、画像表示面からの射出光線の角度がきつくなり、画像の良好なる観察が困難になる。
【００３６】
条件式（９）は画像表示面の大きさと観察光学系Ｌ０の焦点距離の関係を規定している。条件式（９）の下限を超えると、所望の視野角を得るのが困難になる。また観察光学系Ｌ０の焦点距離が長くなると、視野角を得るためには大きな画像表示素子が必要となり、好ましくない。条件式（９）の上限を超えて観察光学系Ｌ０の焦点距離が短くなりすぎると、諸収差の補正が困難となる。特に色収差や像面湾曲が増加する。
【００３７】
あるいは画像表示素子が大きくなりすぎて、観察光学系Ｌ０が大型化するので良くない。
【００３８】
更に好ましくは、条件式（１）乃至（９）の数値範囲を次の如く設定するのが良い。
【００３９】
−９１．２６＜ｆｎ２／ｆ＜−２．３０                      ・・・（１ａ）
１．８５＜ｆｎ２／ｆｎ１＜２１２．０８                    ・・・（２ａ）
０．３７＜ｆｐ１／ｆ＜１．２８                            ・・・（３ａ）
１７．５１＜ｈ／λｄ＜５１０．５９                        ・・・（４ａ）
０．０２＜Ｌｆ／Ｔｆｄ＜０．１４                          ・・・（５ａ）
０．６３＜ｆｐ２／ｆ＜３．１２                            ・・・（６ａ）
−１．９９＜ｆｎ１／ｆ＜−０．２９                        ・・・（７ａ）
０．６０＜ｆｐ３／ｆ＜２．９３                            ・・・（８ａ）
０．１９＜Ｙ／ｆ＜０．６０                                ・・・（９ａ）
更に好ましくは、各条件式（１ａ）乃至（９ａ）の数値範囲を次の如く設定するのが良い。
【００４０】
−６５．００＜ｆｎ２／ｆ＜−３．０６                      ・・・（１ｂ）
２．２０＜ｆｎ２／ｆｎ１＜１５０．００                    ・・・（２ｂ）
０．４５＜ｆｐ１／ｆ＜０．９０                            ・・・（３ｂ）
２２．００＜ｈ／λｄ＜３８０．００                        ・・・（４ｂ）
０．０２５＜Ｌｆ／Ｔｆｄ＜０．１００                      ・・・（５ｂ）
０．８０＜ｆｐ２／ｆ＜２．５０                            ・・・（６ｂ）
−１．４５＜ｆｎ１／ｆ＜−０．３５                        ・・・（７ｂ）
０．７５＜ｆｐ３／ｆ＜２．２０                            ・・・（８ｂ）
０．２３＜Ｙ／ｆ＜０．４０                                ・・・（９ｂ）
次に、各実施例の観察光学系の構成と、実施例ごとの好ましい数値範囲について説明する。
【００４１】
実施例１乃至４の観察光学系Ｌ０は５つのレンズより構成されている。実施例１乃至４において、Ｌ１は第１レンズ群、Ｌ２は第２レンズ群、Ｌ３は第３レンズ群、Ｌ４は第４レンズ群、Ｌ５は第５レンズ群である。
【００４２】
実施例１乃至４の観察光学系Ｌ０では視度調整に際し、第１レンズＬ１、第２レンズＬ２、第３レンズＬ３、第４レンズＬ４、を一体的に光軸に沿って移動させることにより視度を変化させている。
【００４３】
実施例１乃至４の観察光学系Ｌ０では第１レンズＬ１乃至第４レンズＬ４をアイポイントＥＰ側に移動させることで視度を＋側から−側に変化させている。尚、実施例１乃至４においては４つのレンズを一体的に移動させて視度調整を行っているが、１つのレンズ、あるいは隣接した２つのレンズの移動により視度を調整しても良い。
【００４４】
実施例１乃至４の観察光学系Ｌ０において、第１レンズＬ１は正レンズにより構成している。また、第２レンズＬ２は負レンズにより構成している。また、第３レンズＬ３は正レンズにより構成している。第４レンズＬ４は正レンズにより構成している。第５レンズＬ５は負レンズにより構成している。第３レンズＬ３、第４レンズＬ４、第５レンズＬ５は瞳近軸光線、及び物体近軸光線共に高い位置を通るため、諸収差の発生が多い。このときの諸収差を瞳近軸光線の入射光が高い位置に負の第２レンズＬ２を配置することで、色収差及び球面収差を良好に補正している。
【００４５】
さらに、負の屈折力でペッツバール和を軽減し、像面湾曲を補正している。また、物体近軸光線の入射光の高い第３レンズＬ３及び正の第４レンズＬ４を配置することで、コマ収差、非点収差を良好に補正している。このように負の第２レンズＬ２を挟んで対称な構成とすることで非対称収差の補正を容易にしている。
【００４６】
実施例１乃至４の観察光学系Ｌ０では第１レンズＬ１、第２レンズＬ２、第４レンズＬ４、第５レンズＬＳに非球面を使用し、球面収差、コマ収差及び像面湾曲の補正を行っている。負の第５レンズＬ５はフレネル構造（フレネル形状のレンズ面）を備えている。
【００４７】
実施例１乃至４の観察光学系Ｌ０は第２レンズＬ２、第３レンズＬ３に非球面を使用し、球面収差の発生を抑えて、非点収差と歪曲収差を補正している。実施例１乃至４は第２レンズＬ２を球面レンズとしても良い
実施例１乃至４の観察光学系Ｌ０において、前述の条件式（１）乃至（９）の数値範囲は次の如く設定するのが良い。
【００４８】
−１２１．６８＜ｆｎ２／ｆ＜−２．３１                      ・・・（１Ｘ）
２．７５＜ｆｎ２／ｆｎ１＜２８２．７８                      ・・・（２Ｘ）
０．３４＜ｆｐ１／ｆ＜１．７１                              ・・・（３Ｘ）
１１．６７＜ｈ／λｄ＜６８０．７８                          ・・・（４Ｘ）
０．０１＜Ｌｆ／Ｔｆｄ＜０．１４                            ・・・（５Ｘ）
０．７９＜ｆｐ２／ｆ＜４．１６                              ・・・（６Ｘ）
−１．６８＜ｆｎ１／ｆ＜−０．２０                          ・・・（７Ｘ）
０．４０＜ｆｐ３／ｆ＜３．９１                              ・・・（８Ｘ）
０．１４＜Ｙ／ｆ＜０．８０                                  ・・・（９Ｘ）
更に好ましくは、条件式（１Ｘ）乃至（９Ｘ）の数値範囲を次の如く設定するのが良い。
【００４９】
−９１．２６＜ｆｎ２／ｆ＜−３．４６                        ・・・（１Ｘａ）
４．１２＜ｆｎ２／ｆｎ１＜２１２．０８                      ・・・（２Ｘａ）
０．５０＜ｆｐ１／ｆ＜１．２８                              ・・・（３Ｘａ）
１７．５１＜ｈ／λｄ＜５１０．５９                          ・・・（４Ｘａ）
０．０２＜Ｌｆ／Ｔｆｄ＜０．１０                            ・・・（５Ｘａ）
１．１８＜ｆｐ２／ｆ＜３．１２                              ・・・（６Ｘａ）
−１．２６＜ｆｎ１／ｆ＜−０．２９                          ・・・（７Ｘａ）
０．６０＜ｆｐ３／ｆ＜２．９３                              ・・・（８Ｘａ）
０．２２＜Ｙ／ｆ＜０．６０                                  ・・・（９Ｘａ）
更に好ましくは、条件式（１Ｘａ）乃至（９Ｘａ）の数値範囲を次の如く設定するのが良い。
【００５０】
−６０．８５＜ｆｎ２／ｆ＜−４．６０                          ・・・（１Ｘｂ）
５．４８＜ｆｎ２／ｆｎ１＜１４１．４０                        ・・・（２Ｘｂ）
０．６６＜ｆｐ１／ｆ＜０．８６                                ・・・（３Ｘｂ）
２３．３４＜ｈ／λｄ＜３４０．４０                            ・・・（４Ｘｂ）
０．０２＜Ｌｆ／Ｔｆｄ＜０．０８                              ・・・（５Ｘｂ）
１．５６＜ｆｐ２／ｆ＜２．０９                                ・・・（６Ｘｂ）
−０．８５＜ｆｎ１／ｆ＜−０．３８                            ・・・（７Ｘｂ）
０．７９＜ｆｐ３／ｆ＜１．９６                                ・・・（８Ｘｂ）
０．２８＜Ｙ／ｆ＜０．４１                                    ・・・（９Ｘｂ）
実施例５乃至８の観察光学系Ｌ０は４つにレンズより構成されている。実施例５乃至８においてＬ１は第１レンズ、Ｌ２は第２レンズ、Ｌ３は第３レンズ、Ｌ４は第４レンズである。
【００５１】
実施例５乃至８の観察光学系Ｌ０では視度調整に際し、第１レンズＬ１、第２レンズＬ２、第３レンズＬ３、を光軸に沿って移動させることにより視度を変化させている。
【００５２】
実施例５乃至８の観察光学系Ｌ０では第１レンズＬ１乃至第３レンズＬ３をアイポイントＥＰ側に移動させることで視度を＋側から−側に変化させている。尚、実施例５乃至８においては３つのレンズを一体的に移動させて視度調整を行っているが、１つのレンズ、あるいは隣接した２つのレンズの移動により視度の調整を行っても良い。
【００５３】
実施例５乃至８の観察光学系Ｌ０において、第１のレンズＬ１は正レンズにより構成している。また、第２レンズＬ２は負レンズにより構成している。また、第３レンズＬ３は正レンズにより構成している。第４レンズＬ４は負レンズにより構成している。第３レンズＬ３、第４レンズＬ４は瞳近軸光線、及び物体近軸光線共に高い位置を通るため、諸収差の発生が多い。このときの諸収差を瞳近軸光線の入射光が高い位置に負の第２レンズＬ２を配置することで、色収差及び球面収差を良好に補正している。さらに、負の屈折力でペッツバール和を軽減し、像面湾曲を補正している。
【００５４】
また、物体近軸光線の入射光の高い位置に正の第３レンズＬ３を配置することで、コマ収差、非点収差を良好に補正している。このように負の第２レンズＬ２を挟んで対称な構成とすることで非対称収差の補正を容易にしている。
【００５５】
実施例５乃至８の観察光学系Ｌ０では第１レンズＬ１、第２レンズＬ２、第４レンズＬ４に非球面を使用し、球面収差、コマ収差及び像面湾曲の補正を行っている。負の第４のレンズはＬ４フレネル構造を備えている。
【００５６】
実施例５乃至８の観察光学系Ｌ０は第１レンズＬ１、第２レンズＬ２、第３レンズＬ３に非球面を使用し、球面収差の発生を抑えて、非点収差と歪曲収差を補正している。
【００５７】
そこで実施例５乃至８の観察光学系Ｌ０は第２レンズＬ２を球面レンズとしても良い。
【００５８】
実施例５乃至８の観察光学系Ｌ０において、前述の条件式（１）乃至（７）、（９）の数値範囲は次の如く設定するのが良い。
【００５９】
−５９．９７＜ｆｎ２／ｆ＜−２．５４                          ・・・（１Ｙ）
４．９６＜ｆｎ２／ｆｎ１＜８０．０２                          ・・・（２Ｙ）
０．２７＜ｆｐ１／ｆ＜１．２０                                ・・・（３Ｙ）
２７．９０＜ｈ／λｄ＜６８０．７８                            ・・・（４Ｙ）
０．０２＜Ｌｆ／Ｔｆｄ＜０．０７                              ・・・（５Ｙ）
０．４２＜ｆｐ２／ｆ＜２．１４                                ・・・（６Ｙ）
−１．５０＜ｆｎ１／ｆ＜−０．２６                            ・・・（７Ｙ）
０．１４＜Ｙ／ｆ＜０．６５                                    ・・・（９Ｙ）
更に好ましくは、条件式（１Ｙ）乃至（７Ｙ）、（９Ｙ）の数値範囲を次の如く設定するのが良い。
【００６０】
−４４．９８＜ｆｎ２／ｆ＜−３．８１                          ・・・（１Ｙａ）
７．４５＜ｆｎ２／ｆｎ１＜６０．０１                          ・・・（２Ｙａ）
０．４０＜ｆｐ１／ｆ＜０．９０                                ・・・（３Ｙａ）
４１．８５＜ｈ／λｄ＜５１０．５９                            ・・・（４Ｙａ）
０．０２＜Ｌｆ／Ｔｆｄ＜０．０５                              ・・・（５Ｙａ）
０．６３＜ｆｐ２／ｆ＜１．６０                                ・・・（６Ｙａ）
−１．１２＜ｆｎ１／ｆ＜−０．３８                            ・・・（７Ｙａ）
０．２２＜Ｙ／ｆ＜０．４９                                    ・・・（９Ｙａ）
更に好ましくは、条件式（１Ｙａ）乃至（７Ｙａ）、（９Ｙａ）の数値範囲を次の如く設定するのが良い。
【００６１】
−３０．００＜ｆｎ２／ｆ＜−５．０８                          ・・・（１Ｙｂ）
９．９２＜ｆｎ２／ｆｎ１＜４０．０２                          ・・・（２Ｙｂ）
０．５３＜ｆｐ１／ｆ＜０．６１                                ・・・（３Ｙｂ）
５５．７９＜ｈ／λｄ＜３４０．４０                            ・・・（４Ｙｂ）
０．０２５＜Ｌｆ／Ｔｆｄ＜０．０５０                          ・・・（５Ｙｂ）
０．８３＜ｆｐ２／ｆ＜１．０８                                ・・・（６Ｙｂ）
−０．７６＜ｆｎ１／ｆ＜−０．５０                            ・・・（７Ｙｂ）
０．２８＜Ｙ／ｆ＜０．３３                                    ・・・（９Ｙｂ）
実施例９乃至１２の観察光学系Ｌ０は３つのレンズより構成されている。実施例９乃至１２においてＬ１は第１レンズ、Ｌ２は第２レンズ、Ｌ３は第３レンズである。実施例９乃至１２の観察光学系Ｌ０では視度調整に際し、第１レンズＬ１、第２レンズＬ２、を一体的に光軸に沿って移動させることにより視度を変化させている。実施例９乃至１２では第１レンズＬ１と第２レンズＬ２をアイポイント側に移動させることで視度を＋側から−側に変化させている。尚、実施例９乃至１２においては２つのレンズを一体的に移動させて視度調整を行っているが、１つのレンズの移動により視度を調整しても良い。
【００６２】
実施例９乃至１２の観察光学系Ｌ０において、また、第１レンズＬ１は負レンズにより構成している。また、第２のレンズＬ２は正レンズにより構成している。第３のレンズＬ３は負レンズにより構成している。第２レンズ群Ｌ２、第３レンズＬ３は瞳近軸光線、及び物体近軸光線共に高い位置を通るため、諸収差の発生が多い。このときの該収差を第１レンズＬ１の瞳近軸光線の入射光が高い位置に負の第１レンズＬ１を配置することで、色収差及び球面収差を良好に補正している。
【００６３】
さらに、負の屈折力でペッツバール和を軽減し、像面湾曲を補正している。また、物体近軸光線の入射高の高い位置に正の第２レンズＬ２を配置することで、コマ収差、非点収差を良好に補正している。このように正レンズＬ２を挟んで対称な構成とすることで非対称収差の補正を容易にしている。
実施例９乃至１２の観察光学系Ｌ０では第１レンズＬ１、第２レンズＬ２に非球面を使用し、球面収差、コマ収差及び像面湾曲の補正を行っている。負の第３のレンズＬ３はフレネル構造を備えている。
【００６４】
そこで実施例９乃至１２の観察光学系Ｌ０は第２レンズＬ２を球面としても良い。
【００６５】
実施例９乃至１２の観察光学系Ｌ０において、前述の条件式（１）乃至（５）、（７）、（９）の数値範囲は次の如く設定するのが良い。
【００６６】
−１２．０８＜ｆｎ２／ｆ＜−１．５３                            ・・・（１Ｚ）
１．２４＜ｆｎ２／ｆｎ１＜１６．２５                            ・・・（２Ｚ）
０．２５＜ｆｐ１／ｆ＜１．２４                                  ・・・（３Ｚ）
１２．７３＜ｈ／λｄ＜６８０．７８                              ・・・（４Ｚ）
０．０４＜Ｌｆ／Ｔｆｄ＜０．１８                                ・・・（５Ｚ）
−２．６５＜ｆｎ１／ｆ＜−０．３７                              ・・・（７Ｚ）
０．１３＜Ｙ／ｆ＜０．５８                                      ・・・（９Ｚ）
更に好ましくは、条件式（１Ｚ）乃至（５Ｚ）、（７Ｚ）、（９Ｙ）の数値範囲を次の如く設定するのが良い。
【００６７】
−９．０６＜ｆｎ２／ｆ＜−２．３０                            ・・・（１Ｚａ）
１．８５＜ｆｎ２／ｆｎ１＜１２．１９                          ・・・（２Ｚａ）
０．３７＜ｆｐ１／ｆ＜０．９３                                ・・・（３Ｚａ）
１９．０８＜ｈ／λｄ＜５１０．５９                            ・・・（４Ｚａ）
０．０６＜Ｌｆ／Ｔｆｄ＜０．１４                              ・・・（５Ｚａ）
−１．９９＜ｆｎ１／ｆ＜−０．５６                            ・・・（７Ｚａ）
０．１９＜Ｙ／ｆ＜０．４３                                    ・・・（９Ｚａ）
更に好ましくは、各条件式（１Ｚａ）乃至（５Ｚａ）、（７Ｚａ）、（９Ｚａ）の数値範囲を次の如く設定するのが良い。
【００６８】
−６．０５＜ｆｎ２／ｆ＜−３．０５                            ・・・（１Ｚｂ）
２．４６＜ｆｎ２／ｆｎ１＜８．１４                            ・・・（２Ｚｂ）
０．４９＜ｆｐ１／ｆ＜０．６３                                ・・・（３Ｚｂ）
２５．４４＜ｈ／λｄ＜３４０．４０                            ・・・（４Ｚｂ）
０．０７＜Ｌｆ／Ｔｆｄ＜０．１０                              ・・・（５Ｚｂ）
−１．３４＜ｆｎ１／ｆ＜−０．７３                            ・・・（７Ｚｂ）
０．２４＜Ｙ／ｆ＜０．３０                                    ・・・（９Ｚｂ）
次に、本発明の実施例１〜１２に各々対応する数値データ１〜１２を示す。各数値データにおいては、画像表示面側から面番号を順に示し、ｒは曲率半径、ｄは間隔、ｎｄ、ｖｄはそれぞれｄ線を基準とした屈折率、アッベ数を示す。
【００６９】
また、各数値データにおいてｒ１、ｒ２は画像表示素子の面である。数値データ１、２、４乃至１２においてｒ３はダミー面である。
【００７０】
また、Ｋを円錐定数、Ａ４、Ａ６、Ａ８、Ａ１０はそれぞれ４次、６次、８次、１０次の非球面係数である。非球面形状は光軸からの高さｈの位置での光軸方向の変位を、面頂点を基準にしてｘとするとき
ｘ＝（ｈ２／ｒ）／［１＋｛１−（１＋Ｋ）（ｈ／ｒ）２｝１／２］
＋Ａ４  ・ｈ４＋Ａ６・ｈ６＋Ａ８・ｈ８＋Ａ１０・ｈ１０
で表される。但しｒは近軸曲率半径である。また、例えば「ｅ−Ｚ」の表示は「１０−Ｚ」を意味する。
各数値データにおける上述した条件式との対応を表１に示す。
【００７１】
（数値データ１）
全体緒元
焦点距離     17.26
表示対角長    9.98
2ω[deg]     33.40
単位 mm
面データ
面番号    r        d         nd        vd
1       ∞         1.2000    1.52310   65.00
2       ∞         4.0000
3       ∞        （可変）
4      21.5585     5.9472    1.53160   55.84
5*     -9.9234     2.2855
6*     -6.1150     2.7171    1.63550   23.89
7     -28.7163     0.1000
8     -38.7649     4.4305    1.53160   55.84
9     -13.3045     0.1000
10     20.8384     3.9467   1.53160   55.84
11*   -39.2526      (可変)
12*  -124.4605     0.8000   1.49171   57.40
13      ∞        18.0000
14 観察面   
非球面データ
第5面
K=0.00000e+000 A4=1.64216e-004 A6=5.42723e-007
第6面
K=-6.15594e-001 A4=2.63676e-004
第11面
K=0.00000e+000  A4=1.08956e-004
第12面
K=0.00000e+000 K=0.00000e+000 A4=-8.51916e-005 A6=2.81985e-006
A8=-4.16248e-008  A10=2.39533e-010
可変間隔
0dptr    -2dptr    -1dptr    +1dptr
D3   2.388    1.788     2.088     2.688
D11  6.288    6.888     6.588     5.988
（数値データ２）
全体緒元
焦点距離     15.95
表示対角長    9.98
2ω[deg]     35.00
単位 mm
面データ
面番号    r          d      nd         vd
1       ∞         1.2000   1.52310   65.00
2       ∞         4.0000
3       ∞         (可変)
4*      58.5724    4.5841   1.85135   40.10
5*     -10.4256    2.2278
6       -6.4021    2.0000   1.63550   23.89
7     -200.4215    0.1000
8       97.1854    4.7960   1.53160   55.84
9      -15.2107    1.0799
10     -145.5157   3.4457   1.53160   55.84
11*     -15.0057   (可変)
12*    -477.2879   0.8000   1.49171   57.40
13      ∞        18.0000
14 観察面
非球面データ
第4面
K=0.00000e+000 A4=1.64216e-004  A6=5.42723e-007
第5面
K=-6.15594e-001  A4=2.63676e-004
第11面
K=0.00000e+000 A4=1.08956e-004
第12面
K=0.00000e+000 A4=4.20934e-006  A6=4.35626e-007
A8=-9.65085e-009 A10=5.00048e-011
可変間隔
0dptr    -2dptr    -1dptr    +1dptr
D3  2.388     1.838     2.138     2.638
D11 2.988     3.538     3.238     2.738
（数値データ３）
全体緒元
焦点距離     21.07
表示対角長    16.80
2ω[deg]     50.09
単位 mm
面データ
面番号    r          d      nd         vd
1       ∞         4.3439    1.45867   67.90
2       ∞         (可変)
3      43.0022     9.2519    1.73498   53.43
4*    -14.5359     2.7917
5*     -6.1949     2.0000    1.75622   24.24
6    -744.9835     0.1091
7    -700.0483     5.8555    1.76625   47.87
8     -28.0628     0.1000
9*     18.5402     6.4229    1.75939   40.93
10*   -35.0000     (可変)
11*  -603.7604     1.0000    1.51633   64.14
12      ∞        20.0000
13 観察面 
非球面データ
第4面
K=0.00000e+000 A4= 3.92096e-005  A6=2.43057e-007  
第5面
K=-8.27829e-001 A4=4.66786e-004 A6=-1.60942e-006
A8=4.96769e-009 A10=6.82867e-013
第9面
K=0.00000e+000 A4=-2.14815e-005 A6=-1.68396e-007  
第10面
K=0.00000e+000 A4= 1.85091e-004 A6=-9.87748e-007  A8=2.00670e-009
第11面
K=0.00000e+000 A4=8.00000e-006 A6=1.06345e-006
A8=-2.07733e-008 A10=1.59225e-010 A12=-4.20662e-013
可変間隔
0dptr   -2dptr  -1dptr  +1dptr
D2   2.513   1.563   2.013   2.913
D10  7.002   7.952   7.502   6.602
（数値データ４）
全体緒元
焦点距離     17.39
表示対角長   12.48
2ω[deg]     43.00
単位 mm
面データ
面番号    r          d      nd         vd
1       ∞         1.2000    1.52310   65.00
2       ∞         4.0000
3       ∞         (可変)
4     146.5439     6.7246    1.85135   40.10
5*    -13.5642     1.7805
6*     -9.7887     2.0001    1.63550   23.89
7     192.0105     0.1000
8      64.4619     6.6256    1.62040   60.32
9     -25.9638     0.1001
10     37.2292     7.2408    1.53160   55.84
11*   -17.8633     (可変)
12*   -39.4409     2.0000    1.49171   57.40
13          ∞    23.0000
14 観察面 
非球面データ
第5面
K=0.00000e+000 A4=-1.13758e-005 A6=4.23022e-007  
第6面
K=-4.61616e-001 A4=-6.29718e-005  A6=1.12505e-006  
第11面
K=0.00000e+000 A4=3.72094e-005 A6=1.95982e-007
第12面
K=0.00000e+000 A4=-2.21736e-005 A6=-2.49559e-008
A8=3.40289e-009 A10=-1.34470e-011
可変間隔
0dptr    -2dptr    -1dptr    +1dptr
D4  2.321     1.671     2.001     2.641
D12 2.009     2.659     2.329     1.689
（数値データ５）
全体緒元
焦点距離     15.40
表示対角長    9.98
2ω[deg]     37.00
単位 mm
面データ
面番号    r          d      nd         vd
1      ∞          1.2000    1.52310   65.00
2      ∞          4.0000
3      ∞          (可変)
4    271.9259     5.4879    1.85135   40.10
5     -7.8154     1.7819
6     -5.7323     3.4516    1.63550   23.89
7   -136.9424     0.8441
8     43.4069     7.3211    1.59201   67.02
9    -10.8422    (可変)
10   -100.1317    0.8000    1.49171   57.40
11      ∞        18.0000
12 観察面 
非球面データ
第4面  
A4=-2.31659e-004  A6=4.44384e-006    
第5面 
K=-2.48291e-001  A4=3.24466e-004  A6=4.75706e-007  A8=3.81616e-008
A10=-3.28828e-010 A12=-5.64573e-012  A14=2.09170e-013 A16=-5.50393e-016
第6面 
K=-5.06473e-001  A4=1.04185e-003 A6=-7.63892e-006  A8=5.15719e-008
A10=-1.84202e-009  A12=1.26523e-011  A14=4.38494e-013  
第7面 
A4=1.69800e-004 A6=-2.11305e-006  
第8面  
A4=-3.31732e-005  A6=3.06743e-006 A8=-3.56805e-008
A10=2.43341e-010 A12=-5.09243e-013  
第9面 
A4=1.51434e-004  A6=6.72738e-007 A8=-8.96198e-009  A10=2.29012e-010  
第10面 
K=-1.10000e+002  A4=4.55076e-005 A6=-9.96477e-007  A8=6.30753e-008
A10=-3.25700e-009  A12=7.50371e-011 A14=-7.87867e-013  A16=3.12687e-015
可変間隔
0dptr    -2dptr    -1dptr    +1dptr
D3    1.500     1.000     1.250     1.750
D9   3.000     3.500     3.250     2.750
（数値データ６）
全体緒元
焦点距離     16.40
表示対角長    9.98
2ω[deg]     34.00
単位 mm
面データ
面番号    r          d      nd         vd
1       ∞         1.2000    1.52310   65.00
2       ∞         4.0000
3       ∞         （可変）
4*     53.0686     4.8197    1.85135   40.10
5*     -8.5076     1.6330
6*     -5.9008     3.3678    1.63550   23.89
7*     88.3143     2.5979
8*     26.2481     7.5786    1.59201   67.02
9*    -10.7883     （可変）
10*   -43.6370     0.8000    1.49171   57.40
11      ∞        18.0000
12 観察面
非球面データ
第4面
A4=-5.12000e-004 A6=9.42119e-006
第5面
K=1.40944e-001 A4=1.52000e-004 A6=8.16825e-006 A8=-6.75280e-008 
A10=1.12801e-009 A12=2.46107e-012 A14=-2.78842e-013 A16=7.58116e-015
第6面 
K=-1.12012e+000 A4=8.00000e-004 A6=-1.13445e-005 A8=4.93698e-008 
A10=-4.47032e-009 A12=2.40015e-011 A14=5.35257e-013  
第7面 
A4=1.69000e-004 A6=-2.85410e-006
第8面 
A4=-2.70000e-004 A6=5.76105e-006 A8=-3.57790e-008 A10=7.18925e-011  
A12=3.48000e-013
第9面 
A4=9.28767e-005 A6=1.43384e-006 A8=-1.15643e-008 A10=2.50399e-010  
第10面 
K=-1.10000e+002 A4=-1.20841e-004 A6=7.11181e-006 A8=-2.41316e-007  
A10=5.19595e-009 A12=-6.85685e-011 A14=5.10458e-013 A16=-1.69132e-015
可変間隔
0dptr    -2dptr    -1dptr    +1dptr
D4    1.500     0.930     1.210     1.780
D9    3.000     3.570     3.290     2.720
（数値データ７）
全体緒元
焦点距離     16.71
表示対角長    9.98
2ω[deg]     33.00
単位 mm
面データ
面番号    r          d      nd         vd
1      ∞         1.2000    1.52310   65.00
2      ∞         4.0000
3      ∞         (可変)
4*    42.6976     4.6081    1.85135   40.10
5*    -8.8248     1.6687
6*    -5.8634     3.7486    1.63550   23.89
7*    93.8223     2.7919
8*    26.4336     7.4734    1.59201   67.02
9*   -10.8117     (可変)
10*   -41.7892     0.8000    1.49171   57.40
11      ∞        18.0000
12 観察面 
非球面データ
第4面
K=0.00000e+000 -5.12000e-004  9.36206e-006  
第5面
K=2.61970e-001  A4=1.52000e-004  A6=8.46581e-006 A8=-7.11954e-008
A10=1.15005e-009  A12=3.63799e-012 A14=-2.60464e-013  A16=7.43082e-015
第6面
K=-1.18009e+000  A4=8.00000e-004 A6=-1.30249e-005  A8=6.79228e-008
A10=-4.40767e-009  A12=1.82383e-011  A14=6.44446e-013  
第7面
k=0.00000e+000  A4=1.69000e-004 A6=-2.79489e-006  
第8面
k=0.00000e+000 A4=-2.70000e-004  A6=5.83564e-006 A8=-3.55904e-008
A10=6.07101e-011  A12=4.14793e-013  
第9面
k=0.00000e+000  A4=9.80031e-005  A6=1.38886e-006 A8=-8.59195e-009
A10=2.26693e-010  
第10面
K=-1.10000e+002 A4=-1.20998e-004  A6=7.09223e-006 A8=-2.26856e-007
A10=4.62505e-009 A12=-5.84779e-011  A14=4.19694e-013 A16=-1.35849e-015
可変間隔
0dptr       -2dptr    -1dptr    +1dptr
D3   1.500        0.900     1.200     1.800
D9   3.000        3.600     3.300     2.700
（数値データ８）
全体緒元
焦点距離     17.29
表示対角長   9.984
2ω[deg]     30.00
単位 mm
面データ
面番号    r          d      nd         vd
1       ∞         1.2000    1.52310   65.00
2       ∞         4.0000
3       ∞         (可変)
4*     25.9907     3.4380    1.85135   40.10
5*    -12.6116     2.3025
6*     -6.6122     4.1168    1.63550   23.89
7*    -41.6738     2.8293
8*   -160.4796     6.2104    1.59201   67.02
9*    -10.3938     (可変)
10*   -254.9311     0.8000    1.49171   57.40
11      ∞         18.0000
12 観察面
非球面データ
第4面
K=0.00000e+000 -5.12000e-004  9.66655e-006  
第5面
K=2.03519e+000  1.52000e-004  5.63936e-006  3.14489e-008  1.52016e-009  1.08214e-012 -2.12012e-013  1.73741e-014
第6面
K=-8.85949e-001  A4=8.00000e-004  A6=-1.51219e-005  A8=1.44000e-007
A10=-2.40911e-009  A12=4.98650e-011  A14=1.11255e-013    
第7面
K=0.00000e+000  A4=1.69000e-004 A8=-9.42410e-007  
第8面
K=0.00000e+000 A4=-2.70000e-004  A6=7.37841e-006  A8=-3.76506e-008
A10=2.86061e-011  A12=3.22828e-013  
第9面
K=0.00000e+000  A4=4.93019e-005  A6=2.13394e-006 A8=-1.31015e-008
A10=2.77939e-010  
第10面
K=-1.10000e+002  A4=4.11864e-005  A6=3.53743e-006  A8=-1.70899e-007
A10=4.66717e-009 A12=-7.22942e-011  A14=5.82303e-013  A16=-1.96269e-015
可変間隔
0dptr       -2dptr    -1dptr    +1dptr
D4    1.500        0.870     1.190     1.800
D10   3.000        3.630     3.310     2.700
（数値データ９）
全体緒元
焦点距離     17.26
表示対角長    9.98
2ω[deg]     20.35
単位 mm
面データ
面番号    r          d      nd         vd
1      ∞          1.5000    1.52310   65.00
2      ∞          1.3500
3      ∞          (可変)
4*   -20.5664      1.7000    1.63550   23.89
5     36.7873      0.1700
6     12.5777      5.4500    1.53160   55.84
7*   -8.8810       (可変)
8*  -51.2525       0.8000    1.49171   57.40
9     ∞          16.0000
10 観察面 
非球面データ
第4面 
A4=1.36612e-004
第7面 
A4=1.11856e-003 A6=-6.61055e-006  
第8面 
A4=9.97214e-004 A6=-1.43188e-005
可変間隔
0dptr       -2dptr    -1dptr    +1dptr 
D3    12.758       11.908    12.338    13.208
D7     1.327        2.177     1.747     0.877
（数値データ１０）
全体緒元
焦点距離     19.94
表示対角長    9.98
2ω[deg]     29.85
面番号    r          d      nd         vd
1        ∞         1.5000    1.52310   65.00
2        ∞         1.3500
3        ∞         (可変)
4*     -73.3244     1.7000    1.63550   23.89
5       14.8309     0.1700
6       10.6012     5.4500    1.53160   55.84
7*      -8.5340     (可変)
8*     -38.0973     0.8000    1.49171   57.40
9        ∞        16.0000
10 観察面
非球面データ
第4面 
K=0.00000e+000  A4=1.48660e-004  
第7面 
K=0.00000e+000  A6=1.70794e-003 A8=-1.39941e-005  
第8面 
K=0.00000e+000  A6=1.66639e-003 A8=-2.46031e-005 
可変間隔
0dptr       -2dptr    -1dptr    +1dptr
D3    12.758       11.908    12.338   13.208
D7     0.750        1.600    1.1700    0.300
（数値データ１１）
全体緒元
焦点距離     19.45
表示対角長    9.98
2ω[deg]     30.86
単位 mm
面データ
面番号    r          d      nd         vd
1      ∞          1.5000    1.52310   65.00
2      ∞          1.3500
3      ∞          (可変)
4*    245.6065     1.7000    1.63550   23.89
5      11.9205     0.1700
6       9.5739     5.4500    1.53160   55.84
7*     -8.8611      (可変)
8*    -35.3443     0.8000    1.49171   57.40
9      ∞         16.0000
10 観察面
非球面データ
第4面 
A4=1.97722e-004
第7面 
A4=1.85413e-003 A6=-1.52567e-005  
第8面 
A4=1.81493e-003 A6=-2.67801e-005
可変間隔
0dptr       -2dptr    -1dptr    +1dptr
D4  12.778        11.958    12.368    13.208
D7   0.730         1.550     1.140     0.300
（数値データ１２）
全体緒元
焦点距離     18.55
表示対角長    9.98
2ω[deg]     32.87
単位 mm
面データ
面番号    r          d      nd         vd
1      ∞          1.5000    1.52310   65.00
2      ∞          1.3500
3      ∞          (可変)
4*     33.6603     1.7000    1.63550   23.89
5      10.4655     0.1700
6       9.1164     5.4500    1.53160   55.84
7*     -9.5852     (可変)
8*    -29.9147     0.8000    1.49171   57.40
9       ∞        16.0000
10 観察面 
非球面データ
第4面 
A4=2.33066e-004
第7面 
A4=1.85597e-003 A6=51206e-005  
第8面 
A4=1.82059e-003 A6=66411e-005
可変間隔
0dptr    -2dptr    -1dptr    +1dptr
D3  12.778    12.058    12.408    13.178
D7   0.730     1.450     1.100     0.330
【００７２】
【表１】
2020027113.tif 000003
【符号の説明】
【００７３】
ＬＯ  観察光学系
ＩＤ  画像素子面
Ｌ１  第１レンズ
Ｌ２  第２レンズ
Ｌ３  第３レンズ
Ｌ４  第４レンズ
Ｌ５  第５レンズ
ＥＰ  観察面
【図１】
2020027113.tif 000004
【図２】
2020027113.tif 000005
【図３】
2020027113.tif 000006
【図４】
2020027113.tif 000007
【図５】
2020027113.tif 000008
【図６】
2020027113.tif 000009
【図７】
2020027113.tif 000010
【図８】
2020027113.tif 000011
【図９】
2020027113.tif 000012
【図１０】
2020027113.tif 000013
【図１１】
2020027113.tif 000014
【図１２】
2020027113.tif 000015
【図１３】
2020027113.tif 000016
【図１４】
2020027113.tif 000017
【図１５】
2020027113.tif 000018
【図１６】
2020027113.tif 000019
【図１７】
2020027113.tif 000020
【図１８】
2020027113.tif 000021
【図１９】
2020027113.tif 000022
【図２０】
2020027113.tif 000023
【図２１】
2020027113.tif 000024
【図２２】
2020027113.tif 000025
【図２３】
2020027113.tif 000026
【図２４】
2020027113.tif 000027
【図２５】
2020027113.tif 000028